(57)【要約】      （修正有）【課題】特に枚葉式電子製品に適する触発機能を備える回転軸装置を提供する。【解決手段】雌軸１と、雄軸組２とトリガー装置３とを備える。雄軸組２は雌軸１に設けられ、トリガー装置３は雄軸組２に設けられ、雄軸組２をめくられるとトリガー装置３を連動して、トリガー装置３に内設された押圧具３３を外側に押し延ばすかまたは内側に引き込むことによって、スイッチの始動または休止を触発し、電子製品内部の電子装置を動作させ、電子製品の応用を向上し、使用の利便性を向上できる。【選択図】図１
0003189077.tif 000002
【実用新案登録請求の範囲】
【請求項１】
触発機能を備える回転軸装置であって、
基部と、前記基部の両側を屈折して延在する第１軸管と第２軸管とを有する雌軸と、
第１雄軸と、第２雄軸と、伝動組と、第１押圧ブロックを凸設する第１固定シートと、第１連結具と、第２連結具とを有し、前記第１雄軸と前記第２雄軸をそれぞれ前記雌軸の前記第１軸管と前記第２軸管の内部に穿設され、前記伝動組と前記第１固定シートとを前記第１雄軸と前記第２雄軸に枢接され、前記第１固定シートが前記第２雄軸の付近場所に前記第１押圧ブロックと、その対向位置に連結空間を設形成され、前記第１連結具を前記第１雄軸に連結し、前記第２連結具を前記第２雄軸に連結して、かつ固定具を凸設する雄軸組と、
枢動具と、連動具と、押圧具と、スイッチとを有し、前記枢動具の軸心位置を前記第２雄軸に枢接され、その表面に第２押圧ブロックを凸設され、前記第２押圧ブロックを前記第１固定シートの前記連結空間に取り付け、前記連動具の両端はそれぞれ前記枢動具と、前記押圧具に枢接され、前記押圧具の一端に触発端を有し、本体に長溝を切り込んで設けられ、前記長溝をそれぞれ前記第２連結具と前記固定具に装着され、前記スイッチを前記押圧具の前記触発端の外側に設けるトリガー装置と、を備え、
前述構成により、前記第１固定シートの前記第１押圧ブロックを押し込み、前記枢動具の前記第２押圧ブロックに近づきまたは引き離して、前記押圧具が前記固定具と前記長溝とを形成されたルートに沿って移動し、前記トリガー端と前記スイッチとの作用空間とを接触または引き離すことを特徴とする触発機能を備える回転軸装置。
【請求項２】
前記トリガー装置は、第１枢接柱と第２枢接柱とを有し、前記枢動具は第１枢接穴を設けられ、前記押圧具は第２枢接穴を設けられ、前記連動具に第１貫通穴と第２貫通穴とを穿設され、前記第１枢接柱を前記第１枢接穴と前記第１貫通穴に枢接し、前記第２枢接柱を前記第２貫通穴に枢接することを特徴とする、請求項１記載の触発機能を備える回転軸装置。
【請求項３】
前記雄軸組の前記伝動組は第１伝動具と、第２伝動具と、連稈とを有し、前記第１伝動具を前記第１雄軸との連結に固接され、前記第２伝動具を前記第２雄軸に固接され、前記連稈を前記第１伝動具と前記第２伝動具に枢接され、前記連稈と前記第１伝動具との枢接場所は前記第１伝動具軸心の側面であり、前記連稈と前記第２伝動具との枢接場所は前記第２伝動具軸心の側面位置であることを特徴とする、請求項１記載の触発機能を備える回転軸装置。
【考案の詳細な説明】
【技術分野】
【０００１】
本考案は触発機能を備える回転軸装置に関し、特に枚葉式電子製品に適用して、天蓋のスクリーン部と底蓋の装置背面が回転軸の相対的に回動することによって、触発機能を発生する回転軸装置に仕上げる。
【考案の概要】
【考案が解決しようとする課題】
【０００２】
公知の枚葉式電子製品（ノートパソコン、知能型モバイル装置など）の天蓋のスクリーン部と底蓋の装置背面の回転軸では、天蓋のスクリーン部と底蓋の装置背面の回転軸との相対的な回動しか提供しておらず、装置を相対的にめくるときには、電子装置の起動を触発する機能は持っていない。
【課題を解決するための手段】
【０００３】
本考案の目的は、枚葉式電子製品に触発機能をもたせることにある。
【０００４】
前述目的を達成するため、本考案の触発機能を備える回転軸装置は、雌軸と、雄軸組と、トリガー装置とを備える。雌軸に雄軸組の第１雄軸と、第２雄軸を内設され、トリガー装置は第２雄軸に位置し枢動具を接続され、枢動具は順を追って、連動具と押圧具とを連結され、雄軸組の第１雄軸が枢動するときに、雄軸組に設けられた第１押圧ブロックを押し込み、枢動具に近づきまたは離し、連動具によって押圧具を往復に移動して、押圧具を外側に延ばすかまたは内側に引き込ませることによって、スイッチを触発して、電子装置の起動または休止を制御する。
【図面の簡単な説明】
【０００５】
【図１】本考案の立体図（その１）である。
【図２】本考案の立体図（その２）である。
【図３】本考案の分解図である。
【図４】本考案の起点位置を示す図である。
【図５】本考案の第１回動角の側面図である。
【図６】本考案の第１回動角の動作を示す図である。
【図７】本考案の第２回動角の側面図である。
【図８】本考案の第２回動角の動作を示す図である。
【図９】本考案の第３回動角の側面図である。
【図１０】本考案の第３回動角の動作を示す図である。
【図１１】本考案の第４回動角の側面図である。
【図１２】本考案の第４回動角の動作を示す図である。
【図１３】本考案の第４回動角の立体図である。
【図１４】本考案を枚葉式製品に適用して、触発機能を発生させる実施態様図である。
【考案を実施するための形態】
【０００６】
以下、添付図面を参照して本校案の実施の形態を詳細に説明する。
【実施例】
【０００７】
図１〜３を併せて参照する。本考案の触発機能を備える回転軸装置は、雌軸１と、雄軸組２と、トリガー装置３と、を備える。そのうち、
【０００８】
前記雌軸１は、基部１１と、基部１１の両側を屈折して延在する第１第一軸管１２と第２軸管１３とを有する。
【０００９】
前記雄軸組２は、第１雄軸２１と、第２雄軸２２と、伝動組２３と、第１固定シート２４と、第２固定シート２５と、第１連結具２６と、第２連結具２７とを有する。第１雄軸２１と、第２雄軸２２はそれぞれ雌軸１の第１第一軸管１２と第２軸管の内部に穿設されている。伝動組２３は、第１伝動具２３１と、第２伝動具２３２と、連稈２３３とを有する。第１伝動具２３１を第一公軸２１に固接し、第２伝動具２３２を第２雄軸２２に固接して、連稈２３３の両端を第１伝動具２３１と第２伝動具２３２に枢接され、連稈２３３と第１伝動具２３１との枢接場所が第１伝動具２３１の軸心側に位置していて、連稈２３３と第２伝動具２３２との枢接場所が第２伝動具２３２の軸心側に位置する。第１固定シート２４が第２雄軸２２の付近場所に第２押圧ブロック２４１を凸設され、その対向位置に連結空間２４２を形成されている。第１固定シート２４と第２固定シート２５が第１雄軸２１と、第２雄軸２２に枢接されている。第１連結具２６と、第２連結具２７はそれぞれ第１雄軸２１と第２雄軸２２に連結されている。第２連結具２７にて固定具２８を凸設していて、固定具２８の表面に複数の突起リブ２８１を設けられ、本体にとおり穴２８２を穿設され、とおり穴２８２に留め具２８３を設けられている。
【００１０】
図１〜３と図１４とを併せて参照する。前記トリガー装置３にて、枢動具３１と、連動具３２と、押圧具３３と、第１枢接柱３４と、第２枢接柱３５と、スイッチ３６とを設けられている。回動具３１の中心位置に軸穴３１１を穿設され、本体に第１枢接穴３１２を設けられ、第２押圧ブロック３１３を凸設され、枢動具３１の軸穴３１１を雄軸組の２の第２雄軸２２に枢接していて、かつ第２押圧ブロック３１３を連結空間２４２に取り付けられ、第１押圧ブロック２４１が回動するときに、第２押圧ブロック３１３と枢動具３１とを押し込んで回動される。連動具３２の両端にて、それぞれ第１貫通穴３２１と第２貫通穴３２２とを穿設され、第１枢接柱３４の両端はそれぞれ第１枢接穴３１２と第１貫通穴３２１に枢接されている。押圧具３３の一端に触発端３３３を有し、本体に長溝３３１と第２枢接穴３３２とを切り込んで設けられ、第２枢接柱３５の両端はそれぞれ第２枢接穴３３２と第２貫通穴３２２とを枢接されている。長溝３３１を固定具２８に装着され、固定具２８の留め具２８３をとおり穴２８２に内設し、留め具２８３を加工して変形させ位置固定して置き、留め具２８３の働きは、押圧具３３が固定具２８からの離脱を防げる。引き続き、図１４を参照する。スイッチ３６は押圧具３３の触発端３３３の外側に設けられ、スイッチ３６は例えば、光電スイッチ、バネスイッチ、感知スイッチ、機械スイッチなどを使用できる。
【００１１】
引き続き、図４〜８を参照する。図４は、第１連結具２６が０度の起点に位置されていることを示す。第１連結具２６が雄軸２１を連動して回動させ、第１雄軸２１が第１伝動具２３１を連動して回動させる。第１伝動具２３１と連稈２３３との枢接場所は、第１伝動具２３１と第１雄軸２１との連結位置からずれていて、第２伝動具２３２と連稈２３３との枢接位置は、第２伝動具２３２と第２雄軸２２との連結場所からずれているため、第１伝動具２３１が第２伝動具２３２を周回して回動される。
【００１２】
図５と図６に示すように、第１伝動具２３１が第２伝動具２３２を周回するときに、第１固定シート２４の第１押圧ブロック２４１を連動して移動させ、第１連結具２６が９０度を回動したときは、第１押圧ブロック２４１と第２押圧ブロック３１３との間に距離を形成しており、第１固定シート２４の第１押圧ブロック２４１は第２押圧ブロック３１３に接触されない。引き続き、図７と図８とを参照する。第１連結具２６が１８０度を回動したとき、第１固定シート２４の第１押圧ブロック２４１が第２押圧ブロック３１３に接触される。
【００１３】
引き続き、図９と図１０とを参照する。第１連結具２６が２７０度を回動して、第１固定シート２４の第１押圧ブロック２４１がトリガー装置３の第２押圧ブロック３１３を押し込んで移動させ、第２押圧ブロック３１３が回動具３１を連動して回動させ、回動具３１が連動具３２を押し込んで移動させ、連動具３２と押圧具３３との枢接位置が回動具３１の軸心側を離された位置に押し込まれることによって、押圧具３３が固定具２８と長溝３３１から形成されたルートに沿って移動し、外側に押し込まれる。引き続き、図３を参照する。固定具２８に設けられた突起リブ２８１の働きは、押圧具３３の長溝３３１との接触面積を少なくするためである。
【００１４】
引き続き、図１１〜１４を参照する。第１連結具２６が３６０度を回動したとき、連動具３２の２つの枢接場所が第２雄軸２２の軸心位置とほぼ同じ平面に位置していて、かつ外側に押し出されている押圧具３３は最大な押し出し距離にある。これに対して、第１連結具２６が３６０度から逆方向へ０度を回動したとき、逆方向に回動された第１押圧ブロック２４１が第２押圧ブロック３１３を押し込んで、連動具３２を連動して、原点に復帰させた後に、押圧具３３を内側に引き込ませる。さらに、図１４に示すように、押圧具３３を外側に込まれると、触発端３３３がスイッチ３６の作用空間に接触して、スイッチ３６を起動される。これに対して、押圧具３３を内側に引き込ませると、触発端３３３がスイッチ３６の作用空間を引き離して、スイッチ３６を休止状態に復帰させる。
【００１５】
引き続き図１４、本考案の触発機能を備える回転軸装置を適用し、触発機能を形成させる実施態様図を参照する。電子製品の天蓋のスクリーン部５と底蓋の装置背面４とをあらかじめ雄軸組２の第１雄軸２１と第２雄軸２２に連結して置き、天蓋のスクリーン部５を閉合状態から底蓋の装置背面４の底面にめくられると、トリガー装置３の押圧具３３が雄軸組１の押し込みによって、長溝３３１に沿って延ばすと共に、底蓋の装置背面４のスイッチ３６を触発して、スイッチ３６によって底蓋の装置背面４内部の電子装置を起動させる。天蓋のスクリーン部５を閉合状態から底蓋の装置背面４の最上面にめくられると、トリガー装置３の押圧具３３は雄軸組１の押し込みによって、長溝３３１に沿って引き戻されスイッチ３６との接触状態を切り離して、スイッチ３６によって電子装置の稼働が休止される。応用例において、前述電子装置は例えば、接続ポート、キーボード、音声装置または映像装置などを使用できる。音声装置または映像装置はスイッチ３６の信号によって起動させ、キーボードはスイッチ３６によって起動させ、キーボードを内側に底蓋の装置背面４に引き込めば、枚葉式電子製品をタブレットパソコンとして使用できる。接続ポートはスイッチ３６によって起動し、底蓋の装置背面４の外部に露出させることができる。
【００１６】
よって、本考案の主な技術手段は、トリガー装置３と、雄軸組２とを同期に連動した後に、雄軸組２がそれぞれの回動角において、第１固定シート２４の第１押圧ブロック２４１を連動させ、枢動具３１の第２押圧ブロック３１３に近づけるかまたは引き離して、押圧具３３を往復して移動させると共に、トリガー装置３の押圧具３３と互いに対応された移動によって、触発機能を形成する。
【符号の説明】
【００１７】
１      雌軸
１１    基部
１２    第１軸管
１３    第２軸管
２      雄軸組
２１    第１雄軸
２２    第２雄軸
２３    伝動組
２３１  第１伝動具
２３２  第２伝動具
２３３  連稈
２４    第１固定シート
２４１  第１押圧ブロック
２４２  連結空間
２５    第２固定シート
２６    第１連結具
２７    第２連結具
２８    固定具
２８１  突起リブ
２８２  とおり穴
２８３  留め具
３      トリガー装置
３１    枢動具
３１１  軸穴
３１２  第１枢接孔
３１３  第２押圧ブロック
３２    連動具
３２１  第１貫通穴
３２２  第２貫通穴
３３    押圧具
３３１  長溝
３３２  第２枢接孔
３３３  触発端
３４    第１枢接柱
３５    第２枢接柱
３６    スイッチ
４      底蓋の装置背面
５      天蓋のスクリーン部
【図１】
0003189077.tif 000003
【図２】
0003189077.tif 000004
【図３】
0003189077.tif 000005
【図４】
0003189077.tif 000006
【図５】
0003189077.tif 000007
【図６】
0003189077.tif 000008
【図７】
0003189077.tif 000009
【図８】
0003189077.tif 000010
【図９】
0003189077.tif 000011
【図１０】
0003189077.tif 000012
【図１１】
0003189077.tif 000013
【図１２】
0003189077.tif 000014
【図１３】
0003189077.tif 000015
【図１４】
0003189077.tif 000016